(57)【特許請求の範囲】
【請求項１】
対向する両側壁と底壁を有し、各壁に上下２段の係合溝を形成した断面コ字状の本体ケースと、複数のチップ型の発光ダイオ−ドを搭載した中央に開口部を有し、端縁に前記下段の係合溝と係合する突出部を形成した基板と、中央に開口部を有し、端縁に前記上段の係合溝と係合する突出部を形成した、前記基板に搭載した複数の発光ダイオ−ドの出力光を拡散して印刷された紙面に照射する拡散板と、突出するレンズ部を有し、前記拡散光を照射した紙面を撮像する電荷転送素子（ＣＣＤ）カメラとを備え、前記基板の突出部および前記拡散板の突出部を前記本体ケースの係合溝にはめ込み前記基板および前記拡散板を前記本体ケースに固定するとともに、前記ＣＣＤカメラを、そのカメラのレンズ部を前記基板および前記拡散板の開口部に配置して前記基板に固定し、前記本体ケースの底壁と対向する開口を側板で覆ったことを特徴とする乱丁検出装置。
【発明の詳細な説明】
【０００１】
【発明の属する技術分野】
本発明は、印刷された用紙を丁合する際に、丁合が必要な用紙とは異なる用紙が混入していないかどうかを検出する乱丁検出装置に関するものである。
【０００２】
【従来の技術】
製本処理において、同一頁の必要枚数を各頁分印刷してそれぞれ用紙束を形成し、各頁毎の用紙束から１枚づつの用紙を給紙して丁合する丁合機が用いられている。このような丁合機で丁合しようとする用紙に、印刷内容が相違する用紙や印刷されていない白紙のままの用紙が混入していないかどうかを検出する乱丁検出装置として、従来、特開平８−１８４４１９号公報に開示されているようなものが知られている。
【０００３】
図３は上記従来例を一部切り欠いて示す斜視図、図４は一部断面で示す縦断側面図である。図３、図４に示す乱丁検出装置は、ケ−ス１内に電荷転送素子（ＣＣＤ）を用いたＣＣＤカメラ６を設け、その上部のレンズユニット７の周辺にリング状に複数の発光ダイオ−ド３を配置して照明ユニット５を構成している。
【０００４】
各発光ダイオ−ド３は光軸補正板４に取り付けられる。光軸補正板４は、各発光ダイオ−ド３の光軸がケ−ス１の上板に設けられている開口部２の中央に向けて形成されるように、各発光ダイオ−ド３は傾斜して取り付けられている。複数の発光ダイオ−ドの光軸を中央部にむけて傾斜してリング状に配置することにより、照射面の照度が均等になるように考慮されている。
【０００５】
このような構成の乱丁検出装置を、印刷された用紙９が載置される折丁台８に固定する。発光ダイオ−ド３の出力光を印刷された用紙９の紙面に照射し、反射した写像をＣＣＤカメラ６で撮像する。ＣＣＤカメラ６には適宜の画像処理装置が接続されており、予めメモリに記憶されている基準となる画像とＣＣＤカメラ６で撮像された画像とを対比して、乱丁の有無を判断する。
【０００６】
また、発光源としてハロゲンランプ等の単一の照明具を使用し、光路にハ−フミラ−を設けて照射面から反射した写像を集光レンズを通してＣＣＤカメラに導入する構成の乱丁検出装置も知られている。
【０００７】
【発明が解決しようとする課題】
上記特開平８−１８４４１９号公報に開示されている従来の乱丁検出装置においては、複数の発光ダイオ−ドを傾斜させて光軸補正板に取り付けている。また、他の従来例のものはハ−フミラ−を光路に設置している。従来例の各乱丁検出装置はこのような構成としているので設置スペ−スが大きくなり、また、構造が複雑で組立てに時間がかかるためコストが高くなるという問題があった。
【０００８】
本発明はこのような問題に鑑み、設置スペ−スを節約すると共に簡単な構成としてコストを低減した乱丁検出装置の提供を目的とする。
【０００９】
【課題を解決するための手段】
上記目的は、本発明の乱丁検出装置を、対向する両側壁と底壁を有し、各壁に上下２段の係合溝を形成した断面コ字状の本体ケースと、複数のチップ型の発光ダイオ−ドを搭載した中央に開口部を有し、端縁に前記下段の係合溝と係合する突出部を形成した基板と、中央に開口部を有し、端縁に前記上段の係合溝と係合する突出部を形成した、前記基板に搭載した複数の発光ダイオ−ドの出力光を拡散して印刷された紙面に照射する拡散板と、突出するレンズ部を有し、前記拡散光を照射した紙面を撮像する電荷転送素子（ＣＣＤ）カメラとを備え、前記基板の突出部および前記拡散板の突出部を前記本体ケースの係合溝にはめ込み前記基板および前記拡散板を前記本体ケースに固定するとともに、前記ＣＣＤカメラを、そのカメラのレンズ部を前記基板および前記拡散板の開口部に配置して前記基板に固定し、前記本体ケースの底壁と対向する開口を側板で覆う構成とすることによって達成される。
【００１０】
本発明においては、基板に複数のチップ型の発光ダイオ−ドを搭載して光源としているので構成が簡単になる。また、小型のチップ型の発光ダイオ−ドを用いているので乱丁検出装置の設置スペ−スが節約できコンパクトな構成とすることができる。更に、チップ型の発光ダイオ−ドは自動実装により基板に搭載され、各発光ダイオ−ド間の配線も不要となるので、迅速に、かつ低コストで乱丁検出装置を製造することができる。
【００１１】
【発明の実施の形態】
以下、本発明の実施の形態に係る乱丁検出装置について、図１の分解斜視図と、図１の乱丁検出装置の使用状態を示す図２の側面図により説明する。図１、図２において、１１は本体ケ−スで金属板を板金加工により略コ字状に形成され、両側の側面を外側に折り返してフランジ部１１ａ、１１ｂを形成している。本体ケ−ス１１は、合成樹脂をモ−ルド成型で構成することもできる。
【００１２】
１２は側板で、図示を省略しているがネジ等の固定具で本体ケ−ス１１のフランジ部１１ａ、１１ｂに固定される。１３はＣＣＤカメラで、その底部には電源線や信号線が配置されている。１４はレンズでＣＣＤカメラ１３と共にカメラユニットを構成する。１５はプリント基板で、複数のチップ型発光ダイオ−ド（以下、チップＬＥＤと略称する）１６を搭載している。
【００１３】
１７はチップＬＥＤ１６からの出力光を拡散して均等に紙面に照射するための拡散板で、例えば乳白色のアクリル板を使用する。１８は枠体で中央部を開口して四周に段部１８ａを形成し、透明なガラス１９を嵌め込む。
【００１４】
本体ケ−ス１１のフランジ部１１ａ、１１ｂから両側面にかけての部分、および底板の部分には、それぞれ適宜の間隔を開けて２段の溝１１ｅ〜１１ｉを形成する。また、プリント基板１５には、左右両側の短辺の側縁部に突出部１５ａ、１５ｂを形成し、長辺の一方側縁部にも突出部１５ｃを形成する。
【００１５】
更に、プリント基板１５の中央部には開口部１５ｘを形成する。このようにして形成されたプリント基板１５の所定の位置に複数のチップＬＥＤ１６を自動実装する。プリント基板１５に搭載される複数のチップＬＥＤ１６は、単体の出力光の大きさを考慮して、印刷された用紙の乱丁を検出するのに必要な照度が得られるように、その搭載される位置や間隔が適宜選定される。
【００１６】
同様に、拡散板１７にも左右両側の短辺の側縁部に突出部１７ａ、１７ｂを形成し、長辺の一方側縁部にも突出部１７ｃを形成する。また、中央部には開口部１７ｘを形成する。ＣＣＤカメラ１３のレンズ１４をプリント基板１５の中央部に形成されている開口部１５ｘから突出させ、カメラユニットをプリント基板１５に固定する。また、拡散板１７の中央部に形成した開口部１７ｘにレンズ１４の先端を臨ませる。
【００１７】
本体ケ−ス１１のフランジ部から両側面にかけての部分と、底板に形成されている下側の溝１１ｄ、１１ｆ、１１ｈに、プリント基板１５の前記突出部１５ａ、１５ｃ、１５ｂを係合する。また、本体ケ−ス１１のフランジ部から両側面にかけての部分と、底板に形成されている上側の溝１１ｅ、１１ｇ、１１ｉに、拡散板１７の前記突出部１７ａ、１７ｃ、１７ｂを係合する。
【００１８】
このようにして、ＣＣＤカメラ１３とレンズ１４からなるカメラユニット、複数のチップＬＥＤ１６を搭載したプリント基板１５、拡散板１７を本体ケ−ス１１に固定する。この際に、拡散板１７はカメラユニットおよびプリント基板１５よりも紙面側となるようにして、本体ケ−ス１１に固定される。
【００１９】
次に、側板１２を本体ケ−ス１１に固定する。続いて透明なガラス板１９を嵌め込んだ枠体１８を、段部１８ａの部分を本体ケ−ス１１の内側に入れ、四周の端部１８ｂを本体ケ−ス１１の上端部１１ｘ、および側板１２の上端部１２ｘに載置する。
【００２０】
このように構成された乱丁検出装置１０は、図２の側面図に示すように用紙２０の載置台２１に固定される。載置台２１には、開口部２１ａの周辺に段部を形成して支持部２１ａが設けられている。乱丁検出装置１０を載置台２１の開口部２１ａに挿入し、前記支持部２１ａに枠体１８の端部１８ｂを載置した状態で載置台２１に固定する。
【００２１】
印刷された用紙２０を載置台２１に載置し、チップＬＥＤ１６を動作させる。チップＬＥＤ１６の出力光は拡散板１７により拡散され、透明なガラス板１９を通過して紙面に照射される。紙面から反射された写像はレンズ１７で拡大されてＣＣＤカメラ１３により撮像される。
【００２２】
図示されていないが、ＣＣＤカメラ１３に接続される制御装置のメモリには、基準となる画像デ−タが予め記憶されている。制御装置には中央処理装置（ＣＰＵ）が設けられており、ＣＣＤカメラ１３により撮像された画像デ−タと基準となる画像デ−タとを対比して、印刷された用紙の乱丁の有無を判定する。基準となる画像デ−タとしては、例えば第１ペ−ジ目に丁合される印刷された用紙の画像デ−タを用いる。
【００２３】
【発明の効果】
以上説明したように、本発明においては、基板に複数のチップ型の発光ダイオ−ドを搭載して光源としているので構成が簡単になる。また、小型のチップ型の発光ダイオ−ドを用いているので乱丁検出装置の設置スペ−スが節約できコンパクトな構成とすることができる。更に、チップ型の発光ダイオ−ドは自動実装により基板に搭載され、各発光ダイオ−ド間の配線も不要となるので、迅速に、かつ低コストで乱丁検出装置を製造することができる。
【図面の簡単な説明】
【図１】本発明の実施の形態の乱丁検出装置を示す分解斜視図である。
【図２】図１の乱丁検出装置の側面図である。
【図３】従来例の乱丁検出装置の斜視図である。
【図４】図３の乱丁検出装置の縦断側面図である。
【符号の説明】
１０    乱丁検出装置
１１    本体ケ−ス
１２    側板
１３    ＣＣＤカメラ
１４    レンズ
１５    プリント基板
１６    チップＬＥＤ
１７    拡散板
１８    枠体
１９    ガラス板
【図１】
0004330188.tif 000002
【図２】
0004330188.tif 000003
【図３】
0004330188.tif 000004
【図４】
0004330188.tif 000005